(57)【要約】【課題】屋根の上に積雪のままで運転しても、フロントガラスの上にそれが滑り落ちるのを防止できるだけでなく、走行中に左右や後ろに積雪が飛散して消滅しやすく、また、屋根の積雪を除去するにしても、その作業に支障がなくなり、さらに、風の抵抗を受けないので、取り外し容易な粘着手段により取り付けて使用できる車両屋根における車両屋根における積雪落下防止シートを提供する。【解決手段】車両の屋根の上に密着できるように軟質プラスチックないし半硬質プラスチックで変形自在なシート状に形成するとともに、積雪される上面に左右へ長い幅方向の突条と溝条を前後交互に配列して形成し、積雪が自動車のフロントガラスの方向へ移動しないように、突条に積雪を後方へ逃す逃げ面と、前方へ阻止する掛り面とを設け、下面に車両の屋根に対して着脱可能に固着する取付手段を設けてある。【選択図】    図１
2009067273.tif 000002
【特許請求の範囲】
【請求項１】
車両の屋根の上に密着できるように軟質プラスチックないし半硬質プラスチックで変形自在なシート状に形成するとともに、積雪される上面に左右へ長い幅方向の突条と溝条を前後交互に配列して形成し、積雪が自動車のフロントガラスの方向へ移動しないように、突条に積雪を後方へ逃す逃げ面と、前方へ阻止する掛り面とを設け、下面に車両の屋根に対して着脱可能に固着する取付手段を設けてあることを特徴とする車両屋根における積雪落下防止シート。
【請求項２】
車両の屋根の上に密着できる変形自在なシート状であって、自由な形状と配列をなしうるように切り分け可能に、軟質プラスチックないし半硬質プラスチックで大幅なシート状に形成するとともに、積雪される上面に左右に長い突条と溝条を交互に配列して形成し、積雪が自動車のフロントガラスの方向へ移動しないように、突条に積雪を後方へ逃す逃げ面と、前方へ阻止する掛り面とを設け、下面に車両の屋根に対して着脱可能に固着する取付手段を設けてあることを特徴とする切分け用の車両屋根における積雪落下防止シート。
【請求項３】
車両の屋根に対して着脱可能に固着する取付手段については、シート下面に粘着剤を塗布しその上に剥離紙を張り合わせてあることを特徴とする請求項１または２記載の車両屋根における積雪落下防止シート。
【請求項４】
車両の屋根に対して着脱可能に固着する取付手段については、シート下面に磁石を設け、若しくはシート全体をゴム磁石またはプラスチック磁石で成形することを特徴とする請求項１または２記載の車両屋根における積雪落下防止シート。
【発明の詳細な説明】
【技術分野】
【０００１】
この発明は、フロントガラスに屋根の積雪が落下しないように、自動車、乗用車等の車両に備える車両屋根における積雪落下防止シートに関する。
【背景技術】
【０００２】
降雪地帯では冬季に自動車を野外の駐車場等に放置しておくと、降雪が激しいときや停車時間が長いときには、自動車を覆うように山盛りに積雪することが多い。このような事態において運転をするときには、視界を確保する必要から、少なくともフロントガラスに積もっている雪は除去する必要があるので、手で又は掻き棒を使って、フロントガラスの雪だけは掻き落とすが、殊に余裕がないときには一般的に屋根の積雪は残したまま走行される。
【０００３】
ところが、走行中に急にブレーキをかけて減速あるいは停止すると、屋根の積雪がフロントガラスの上に滑り落ち途端に視界が遮られ運転に危険な状態を招くことがある。殊に、室温の影響で屋根と積雪との間に薄い水の膜が形成されていると、滑りやすいために大量の積雪がどっと流れ落ち、雪の重さと落下の衝撃によりフロントワイパーが損傷することもある。このような危険及び不都合を未然に防止するために、屋根の積雪も予め除去するとなると、高所のため時間がかかるだけでなく作業に困難が伴うことになる。
【０００４】
そこで、従来、屋根の積雪をそのままにしておいても、フロントガラスの上に落下しないように、下記文献にあるように、屋根の上にフロントガラスの縁に沿って接着される積雪落下防止装置が提案され、それによると、断面Ｌ字形の両片の間に支持片を配設した構造であった。
【特許文献１】特開平０３−１８６４５９号公報
【発明の開示】
【発明が解決しようとする課題】
【０００５】
上記のような従来の積雪落下防止装置によれば、断面Ｌ字形の一片が屋根の上に接着されることにより、他片が起立した状態が保持されるため、その起立片が積雪の前方への滑りを阻止し、これでフロントガラスへの落下が防止される。しかし、積雪がこの起立片に後続したまま屋根全面に停滞しやすいことから、屋根の上に雪を戴いたまま走行するという燃費の上で不利な運転となる。特に、断面Ｌ字形の両片の間の支持片に氷結していると、積雪が屋根から周囲にも落ちにくく停滞しやすいという問題があった。
【０００６】
また、屋根の積雪を退かすにしても、配列する支持片に積雪が絡んでいるばかりでなく掻き棒がそれに引っ掛かり除去作業が困難となる。しかも、起立片が風の抵抗を受ける衝立となるので、これも燃費に不利となることはもとより、積雪がないときには風の抵抗で剥離して吹っ飛ぶ不測の事態が考えられ、これを防止するためには、容易に取り外すことのできないように強固に接着しておく必要があり、強固な接着であるため冬季が過ぎたときに取り外しできない不都合が生じるという問題があった。
【０００７】
この発明は、上記のような実情に鑑みて、屋根の上に積雪のままで運転しても、フロントガラスの上にそれが滑り落ちるのを防止できるだけでなく、走行中に左右や後ろに積雪が飛散して消滅しやすく、また、屋根の積雪を除去するにしても、その作業に支障がなくなり、さらに、風の抵抗を受けないので、取り外し容易な粘着手段により取り付けて使用できる車両屋根における車両屋根における積雪落下防止シートを提供することを課題とした。
【課題を解決するための手段】
【０００８】
この発明は、上記の課題を解決するために、車両の屋根の上に密着できるように軟質プラスチックないし半硬質プラスチックで変形自在なシート状に形成するとともに、積雪される上面に左右へ長い幅方向の突条と溝条を前後交互に配列して形成し、積雪が自動車のフロントガラスの方向へ移動しないように、突条に積雪を後方へ逃す逃げ面と、前方へ阻止する掛り面とを設け、下面に車両の屋根に対して着脱可能に固着する取付手段を設けてあることを特徴とする車両屋根における積雪落下防止シートを提供するものである（請求項１）。
【０００９】
また、同じような構造において（請求項２）、自由な大きさと形状に切り取って使用できるようにした切分け用の車両屋根における積雪落下防止シートを提供する。
（作用）
【００１０】
車両屋根における積雪落下防止シートを上記のように構成したから、これを使用するときには、車両の屋根に、少なくとも、フロントガラスの上に沿って密着して取り付ける。この取付け状態において、野外に駐車中に降雪があったときに、フロントガラスの上の積雪だけを除去して走行したとしても、走行中に減速又は停止したときに、突条の掛り面に積雪の滑りが阻止されるために、フロントガラスへの落下が防止される。また、発進や加速したときには、逃げ面によって積雪の滑りが許容されるため、後ろに積雪が流されて次第に後端や左右から飛散される。
【００１１】
また、風の抵抗を受けないために、粘着剤や磁石で取り付けてあっても屋根から剥離することもなく、安全であるとともに、使用時期を過ぎても容易に取り外すことができる。
【発明の効果】
【００１２】
以上説明したように、この発明の車両屋根における積雪落下防止シートによれば、屋根の上に積雪のままで運転しても、フロントガラスの上に滑り落ちるのを防止でき、しかも、走行中に後ろや左右から積雪が飛散して消滅するので、都合良く合理的に安全運転を確保でき、また、屋根の積雪を除去するにしても、その作業に支障がなくなり、さらに、低いシート状であって風の抵抗を受けないので、取り外し容易な粘着や吸着手段により、容易に取り付け得ることはもとより、使用時期を過ぎた際に取り外しに好都合であり、また、燃費にも有利になるばかりでなく、車両の外観（フォルム）に大きな影響を与えなく見栄えを保持でき、却って機能性とともにさりげなく斬新性を付与し得るという優れた効果がある。
【００１３】
また、切分け用としたときには、安価な提供が可能であり、また、使用者において車両等との関係で最適な状態で使用しやすい。
【発明を実施するための最良の形態】
【００１４】
次に、この発明の実施形態を図面に基づいて説明する。
【００１５】
図１ないし図５は一実施例を示し、その車両屋根における積雪落下防止シートＰは、図２の楕円枠Ａ内、図３、図４、図５に示すもので、軟質ないし半硬質のプラスチック、例えば、塩化ビニールやウレタンゴムでほゞ矩形のシート状に形成するとともに、上面に横長の突条２，２，・・が連続的に形成してあって、裏面には粘着剤５を塗布した上に薄いプラスチックシート又は紙等からなる剥離紙７が粘着されている。
【００１６】
シート上面の形状について、突条２，２，・・は、前面が後方へ逃げ面８となるように傾斜し、後面が前方へ掛り面９となるように起立する言わば直角三角形の山形の断面形状であって、突条２と突条２との間に逆直角三角形の溝条３，３，・・を有する。また、前端の突条２においては、その逃げ面８が下面と交差して先端１１が先鋭となっており、こうして積雪Ｓが乗り上げやすくしてある。さらに、左右両端には、外側に低く傾斜面１３を形成して、積雪Ｓが逃げやすくしてある。
【００１７】
また、こうして前端と両側端とが先鋭であると、掻き棒を使用するときにそれが引っ掛からないので好都合である。さらに、後端には突条２が無いシート基部の延長としての薄片１２が突出してあるので、使用済みの際に取り外すときには、この薄片１２から捲るようにして容易に屋根Ｒから剥がすことができる。しかし、後端であるので、積雪の移動等で自然に（不用意に）薄片１２が捲られることはなく、屋根Ｒへの確実な定着により却って積雪落下防止シートＰの粘着に安定性が付与されることになる。
【００１８】
上記の積雪落下防止シートＰを使用するときには、図２の楕円枠Ａ内に示すように、剥離紙７を剥がして下面を粘着剤５で自動車の屋根Ｒの上に粘着する。図１では、横に３列、前後に２列となるように配置してある。なお、この配列は、自動車との関係における積雪落下防止シートＰの大きさ、形状等によって様々となる。
【００１９】
いずれにしても、自動車Ｔが走行中に減速又は停止したときに、積雪Ｓが突条２，２，・・の掛り面９に引っ掛かることにより前方へは滑らないため、フロントガラス１５に落下して、突然視界がなくなったりワイパー１６が壊れたりするような不都合がなくなる。また、発進又は加速したときには、逃げ面８により積雪Ｓが後ろに移動し、その都度徐々にではあるが、押し出しの如く屋根の後ろから積雪Ｓが路上に少しずつ飛散する。
【００２０】
また、図１の配列では、左右両側列の積雪落下防止シートＰ，Ｐについて、外側が少し後ろになる傾斜の配列にしてあるので、発進又は加速の際には、傾斜する突条２，２，・・と溝条３，３，・・に沿って、自動車の両側へ積雪Ｓが移動し、こうして両端からも積雪が廃除されることにもなる。この作用に重点を置いたのが後記実施例の場合（図７）である。また、以上の作用を果たすものであれば、突条２の形状（相対的に溝条３の形状）は次のように様々となる。
【００２１】
図６は、突条２の他の形状を例示したもので、（ａ）図では、その突条２は、逃げ面８と掛り面９との間の上面１７が平らな台形であって、溝条３の底面１９も平らに形成される。また、（ｂ）図では、突条２は、逃げ面８に続く掛り面９が円弧のアール面に形成される。また、この場合も、溝条３の底面１９が平らに形成される。
【００２２】
図７は、前記したように、屋根の積雪Ｓを左右に逃す量が多くなるようにしたもので、左右の幅は、実施形態の屋根の幅に近い寸法に形成され、幅中央から左右に後ろへ逃げるように、突条２，２，・・と溝条３，３，・・が言わば山形に両側傾斜に形成されている。
【００２３】
また、図８は、積雪落下防止シートＰａを幅広く形成することにより、車両の屋根に応じて、また、積雪Ｓを廃除する機能が最大限発揮されるような工夫をしやすく、使用者においてカッターやハサミ等を使用することにより、適宜切り分けて使用するようにしたものである。つまり、大きさや形状を自由にして切り取ることにより、図１に示すような配列にもでき、また、図７に示すような形状（この場合は、左右半分ずつにしたものを突き合わせることになる）にもできる。
【００２４】
以上は、車両の屋根に対して着脱可能に固着する取付手段が粘着剤５によるものであるが、磁石の吸着等、他の手段によることもできる。図９に示す積雪落下防止シートＰ（Ｐａ）は、下面にプラスチック（又はゴム）のシート状の磁石２１を接着した例を示す。また、図１０は、積雪落下防止シートＰ（Ｐａ）の全体をプラスチック（又はゴム）の磁石２１で成形した場合を示す。なお、プラスチック磁石、ゴム磁石とは、プラスチックやゴムに磁石の粉末を練り込んだものである。しかし、普通の磁石で屋根に吸着できるようにすることも可能である。
【００２５】
以上の各実施形態において、積雪落下防止シートＰ，Ｐａは、目立たなく薄く低い形状において積雪の移動を阻止できるが、透明シートにするか、若しくは車両Ｔと同じ色彩においても目立たなくすることもできる。逆に、特異な形状や色彩において、車両を装飾してそれを斬新なデザインに変えることも可能である。
【図面の簡単な説明】
【００２６】
【図１】この発明に係る一実施例を示す車両屋根における積雪落下防止シートの使用状態を示す車両の平面図である。
【図２】同使用状態を示す車両の側面図であって、積雪落下防止シートを使用要領において楕円枠内に側面図として示す説明図である。
【図３】車両との関係において、同積雪落下防止シートを示す一部切欠した斜視図である。
【図４】図３のＸ−Ｘ線矢視の拡大断面図である。
【図５】図３のＹ−Ｙ線矢視の拡大断面図である。
【図６】他のそれぞれ異なる２つの実施例を示し、（ａ）図は積雪落下防止シートの一端部断面図、（ｂ）図は同じく積雪落下防止シートの一端部断面図である。
【図７】他の実施例を示す積雪落下防止シートの平面図である。
【図８】さらに他の実施例を示す切取り用の積雪落下防止シートの一部平面図である。
【図９】さらに他の実施例を示す積雪落下防止シートの一部断面図である。
【図１０】さらに他の実施例を示す積雪落下防止シートの一部断面図である。
【符号の説明】
【００２７】
Ｐ  車両屋根における積雪落下防止シート
Ｐａ  切分け用の車両屋根における積雪落下防止シート
Ｔ  車両としての自動車
Ｒ  屋根
２１  磁石
２  突条
３  溝条
５  粘着剤
７  剥離紙
８  逃げ面
９  掛り面
１５  フロントガラス
２１  磁石
【図１】
2009067273.tif 000003
【図２】
2009067273.tif 000004
【図３】
2009067273.tif 000005
【図４】
2009067273.tif 000006
【図５】
2009067273.tif 000007
【図６】
2009067273.tif 000008
【図７】
2009067273.tif 000009
【図８】
2009067273.tif 000010
【図９】
2009067273.tif 000011
【図１０】
2009067273.tif 000012